(57)【要約】【課題】製造組立時に、粘着テープ若しくはバンドを用いずに複数の成型断熱材を組立てられるようにして、コストを低減した貯湯式給湯器の貯湯タンクを得ること。【解決手段】複数の成型断熱材１、２により覆われた貯湯式給湯器の貯湯タンク７において、前記貯湯タンク７の胴部７ａを覆う成型断熱材１、１は、側縁部１ｂ、１ｂ同士を突き合わせた二つの半円筒状成型断熱材１、１から成り、前記側縁部１ｂ、１ｂには、突き合わされて嵌合用の孔を形成する溝１ａ、１ａを設け、前記二つの半円筒状成型断熱材１、１の側縁部１ｂ、１ｂ同士が突き合わせされて形成される嵌合用の孔に、着脱可能に連結部材４を嵌合させて前記二つの半円筒状成型断熱材１、１を連結した。【選択図】        図１
2009047375.tif 000002
【特許請求の範囲】
【請求項１】
複数の成型断熱材により覆われた貯湯式給湯器の貯湯タンクにおいて、
前記貯湯タンクの胴部を覆う成型断熱材は、側縁部同士を突き合わせた二つの半円筒状成型断熱材から成り、前記側縁部には、突き合わされて嵌合用の孔を形成する溝を設け、前記二つの半円筒状成型断熱材の側縁部同士が突き合わせされて形成される嵌合用の孔に、着脱可能に連結部材を嵌合させて前記二つの半円筒状成型断熱材を連結したことを特徴とする貯湯タンク。
【請求項２】
前記貯湯タンクの胴部の上下方向に離間した複数箇所に外側から温度センサーが装着され、該温度センサーの装着箇所に対向する位置に、前記嵌合用の孔を位置させるようにしたことを特徴とする請求項１に記載の貯湯タンク。
【請求項３】
前記連結部材は、断熱材により形成されていることを特徴とする請求項１又は２に記載の貯湯タンク。
【請求項４】
前記溝は、底部が幅広となっていることを特徴とする請求項１〜３のいずれか一つに記載の貯湯タンク。
【発明の詳細な説明】
【技術分野】
【０００１】
本発明は、電気温水器やヒートポンプ給湯器等の貯湯式給湯器の貯湯タンクに関するものである。
【背景技術】
【０００２】
従来、複数の配管が接続した貯湯タンクと、前記貯湯タンクを収納する外装体と、前記貯湯タンク外郭に沿った形状のタンク用窪部を有し、このタンク用窪部を前記貯湯タンクに密着して前記貯湯タンク外郭を覆う複数の成型断熱材と、を備えた貯湯タンクであって、前記複数の成型断熱材は、少なくとも底部断熱材と天部断熱材と前面断熱材と背面断熱材の４つに分割構成されているものがある（例えば、特許文献１参照）。
【０００３】
【特許文献１】特開２００２−３１０５１１号公報
【発明の開示】
【発明が解決しようとする課題】
【０００４】
しかしながら、上記従来の技術によれば、多数の粘着テープ若しくはバンドを使用して複数の成型断熱材を固定するので、固定のための作業時間及び材料費がかかり、高コストであるとともに、一度、粘着テープ若しくはバンドで固定すると、貯湯タンク設置後のメンテナンスを行うときに、断熱材の脱着作業性が非常に悪い、という問題があった。
【０００５】
また、貯湯タンク内の上部から下部までの複数箇所の湯水温を検出する複数の温度センサーの交換等のメンテナンスを行なうときは、天部断熱材と前面断熱材又は背面断熱材を取外さなければならない。そのため、メンテナンス時の作業性が悪い、という問題があった。
【０００６】
本発明は、上記に鑑みてなされたものであって、製造組立時に、粘着テープ若しくはバンドを用いずに複数の成型断熱材を組立てられるようにして、コストを低減した貯湯式給湯器の貯湯タンクを得ることを目的とする。また、温度センサーの交換等のメンテナンス時の作業性を向上させた貯湯式給湯器の貯湯タンクを得ることを目的とする。
【課題を解決するための手段】
【０００７】
上述した課題を解決し、目的を達成するために、本発明は、複数の成型断熱材により覆われた貯湯式給湯器の貯湯タンクにおいて、前記貯湯タンクの胴部を覆う成型断熱材は、側縁部同士を突き合わせた二つの半円筒状成型断熱材から成り、前記側縁部には、突き合わされて嵌合用の孔を形成する溝を設け、前記二つの半円筒状成型断熱材の側縁部同士が突き合わせされて形成される嵌合用の孔に、着脱可能に連結部材を嵌合させて前記二つの半円筒状成型断熱材を連結したことを特徴とする。
【発明の効果】
【０００８】
この発明によれば、製造組立時に、二つの半円筒状成型断熱材の側縁部同士が突き合わされて形成された嵌合用の孔に連結部材を嵌合するだけで、二つの半円筒状成型断熱材を固定することができるので、製造組立の工数がかからず効率的な作業を行うことができ、粘着テープ若しくはバンドが不要となり、製造コストを抑えることができる。
【発明を実施するための最良の形態】
【０００９】
以下に、本発明にかかる貯湯式給湯器の貯湯タンクの実施の形態を図面に基づいて詳細に説明する。なお、この実施の形態によりこの発明が限定されるものではない。
【００１０】
実施の形態
図１は、本発明にかかる貯湯式給湯器の貯湯タンクの実施の形態を示す分解斜視図であり、図２は、成型断熱材で覆われた実施の形態の貯湯タンクの正面図であり、図３は、連結部材嵌合前の成型断熱材の突き合せ部の溝を示す斜視図であり、図４−１〜図４−３は、連結部材の他の形態を示す斜視図である。
【００１１】
図１〜図３に示すように、貯湯式給湯器の貯湯タンク７は、円筒状の胴部７ａと、半球状の底部７ｂ及び天部７ｃとから成っている。貯湯タンク７の底部７ｂには、給水源から所定圧力の水を供給する給水管５が接続されている。貯湯タンク７の天部７ｃには、貯湯タンク７内に貯えられた湯を外部へ給湯する給湯管６が接続されている。
【００１２】
また、図示しないが、貯湯タンク７には、貯湯タンク７内の湯水を循環させながら加熱して沸き上げるヒートポンプが接続されている。ヒートポンプの替わりに、貯湯タンク７内に電気ヒーターを設置してもよい。貯湯タンク７の胴部７ａの正面には、貯湯タンク７内の湯温分布を検出する複数の温度センサー（図示せず）を外側から装着するための複数（４本）のスタッド８が、上下方向に離間して一直線状に並べて取付けられている。
【００１３】
貯湯タンク７の胴部７ａは、二つの半円筒状成型断熱材１、１で覆われ、底部７ｂ及び天部７ｃは、半球状成型断熱材２で覆われる。半円筒状成型断熱材１、１は、貯湯タンク７の胴部７ａの外周面形状と同じ内周面形状を有し、半球状成型断熱材２、２は、貯湯タンク７の底部７ｂ及び天部７ｃの外周面形状と同じ内周面形状を有している。
【００１４】
半球状成型断熱材２、２の中心部には、給水管５又は給湯管６を通す孔２ａが設けられている。半円筒状成型断熱材１、１の両側縁部１ｂ、１ｂには、底部１ａｂが幅広の溝１ａ、１ａが、スタッド８の取付間隔と同じ間隔で、夫々四つ形成されている。成型断熱材１、２は、耐熱性発泡ポリスチレンで成型されている。
【００１５】
二つの半円筒状成型断熱材１、１の両側縁部１ｂ、１ｂ同士を突き合せ、突き合された二つの溝１ａ、１ａの中心にスタッド８を位置させるようにする。突き合された二つの溝１ａ、１ａは、嵌合用の孔を構成している。突き合された二つの溝（孔）１ａ、１ａに、突き合された溝（孔）１ａ、１ａと同一形状の孔埋め材としての連結部材（耐熱性発泡ポリスチレン製）４を嵌合させ、半円筒状成型断熱材１、１同士を一体に連結する。連結部材４は、四角桁４ａの両端部に直方体形の幅広部４ｂ、４ｂを有しており、突き合された溝（孔）１ａ、１ａに嵌合させたときにスタッド８が埋没する凹部を有している。
【００１６】
以上説明したように、実施の形態の貯湯式給湯器の貯湯タンクは、胴部７ａの上下方向に離間した複数箇所（４箇所）に外側から温度センサーが装着され、複数の成型断熱材により覆われた貯湯式給湯器の貯湯タンク７において、温度センサーの装着箇所（スタッド８）に対向する成型断熱材１、１の部位に嵌合用の孔（溝１ａ、１ａ）を設け、該孔に着脱可能な連結部材４を嵌合させているので、製造組立時に、二つの半円筒状成型断熱材１、１の側縁部同士が突き合わされて形成された嵌合用の孔（溝１ａ、１ａ）に連結部材を嵌合するだけで、二つの半円筒状成型断熱材１、１を固定することができるので、製造組立の工数がかからず効率的な作業を行うことができ、粘着テープ若しくはバンドが不要となり、製造コストを抑えることができる。
【００１７】
また、温度センサー交換等のメンテナンス時には、メンテナンス箇所の連結部材４のみを取外せばよく、メンテナンスの作業性が向上する。また、孔埋め材を連結部材４で兼用しているので、半円筒状成型断熱材１の構造が簡素である。
【００１８】
図４−１に示すように、連結部材４の替わりに、四角桁２４ａの両端部にコ形の幅広部２４ｂ、２４ｂを設けた連結部材（孔埋め部材）２４を用いてもよい。また、図４−２に示すように、四角桁３４ａの両端部に台形の幅広部３４ｂ、３４ｂを設けた連結部材（孔埋め部材）３４を用いてもよい。また、図４−３に示すように、四角桁４４ａの両端部に半円形の幅広部４４ｂ、４４ｂを設けた連結部材（孔埋め部材）４４を用いてもよい。
【００１９】
実施の形態では、貯湯式給湯器の貯湯タンク７の数は、１以上の所望数とすることができる。また、嵌合用の孔及び連結部材の形状は、図４−１〜図４−３に示すもの以外にも、種々の変形が可能である。
【産業上の利用可能性】
【００２０】
以上のように、本発明にかかる貯湯式給湯器の貯湯タンクは、低コストで、温度センサーのメンテナンス時の作業性を向上させたものとして有用である。
【図面の簡単な説明】
【００２１】
【図１】本発明にかかる貯湯タンクの実施の形態を示す分解斜視図である。
【図２】複数の成型断熱材で覆われた実施の形態の貯湯タンクの正面図である。
【図３】連結部材嵌合前の成型断熱材の突き合せ部の溝を示す斜視図である。
【図４−１】連結部材の他の形態を示す斜視図である。
【図４−２】連結部材の他の形態を示す斜視図である。
【図４−３】連結部材の他の形態を示す斜視図である。
【符号の説明】
【００２２】
１  半円筒状成型断熱材
１ａ  溝（嵌合用の孔）
１ａｂ  底部
２  半球状成型断熱材
２ａ  孔
４，２４，３４，４４  連結部材（孔埋め材）
４ａ，２４ａ，３４ａ，４４ａ  四角桁
４ｂ，２４ｂ，３４ｂ，４４ｂ  幅広部
５  給水管
６  給湯管
７  貯湯タンク
７ａ  胴部
７ｂ  底部
７ｃ  天部
８  温度センサー装着用のスタッド
【図１】
2009047375.tif 000003
【図２】
2009047375.tif 000004
【図３】
2009047375.tif 000005
【図４−１】
2009047375.tif 000006
【図４−２】
2009047375.tif 000007
【図４−３】
2009047375.tif 000008